(57)【特許請求の範囲】
【請求項１】
情報機器の一部を覆う閉じ位置と、前記一部を露出させる開き位置との間で回転されて移動するように設けてある蓋部材と、
前記情報機器の二箇所に取り付けられたキャップとを有し、
前記蓋部材は、
蓋本体と、
前記蓋本体の両端側に設けてあり、回動中心貫通孔が形成してあるフランジとよりなり、
前記情報機器は、二箇所に前記フランジを支持するフランジ支持部を有し、
前記フランジ支持部は、前記回動中心貫通孔に嵌合して貫通する軸部を有し、
前記キャップは、前記軸部の先端を固定する固定部を有し、
前記蓋部材は、前記回動中心貫通孔が前記軸部に嵌合し、前記フランジが前記フランジ支持部に支持され、
前記キャップが、前記フランジを覆い、
前記固定部が、前記フランジの前記回動中心貫通孔を貫通した前記軸部の先端を固定する構成としたことを特徴とする情報機器。
【請求項２】
情報機器の一部を覆う閉じ位置と、前記一部を露出させる開き位置との間で回転されて移動するように設けてある蓋部材と、
前記情報機器の二箇所に取り付けられたキャップとを有し、
前記蓋部材は、
蓋本体と、
前記蓋本体の両端側に設けてあり、回動中心貫通孔が形成してあるフランジとよりなり、
前記情報機器は、二箇所に前記フランジを支持するフランジ支持部を有し、
前記キャップは、前記フランジを覆い、
前記フランジは、前記蓋部材が開き位置に回動されたときに前記情報機器の筐体表面に対向する部分が、前記情報機器表面に沿う輪郭を有する形状を有する構成としたことを特徴とする情報機器。
【請求項３】
情報機器の筐体の第１の面の一部を覆う閉じ位置と、前記第１の面に隣接する前記情報機器の筐体の第２の面に移動して、前記一部を露出させる開き位置との間で回転されて移動するように設けてある蓋部材と、
前記情報機器の二箇所に取り付けられたキャップとを有し、
前記蓋部材は、
蓋本体と、
該蓋本体の両端側に設けてあり、回動中心貫通孔が形成してあるフランジとよりなり、
前記情報機器は、二箇所に前記フランジを支持するフランジ支持部を有し、
前記キャップは、前記フランジ覆い、
前記フランジは、前記蓋部材が開き位置に回動されたときに前記第１の面に対向する部分が、前記第１の面に沿う輪郭を有し、且つ、前記蓋部材が閉じ位置に回動されたときに前記第２の面に対向する部分が、前記第２の面に沿う輪郭を有する形状を有する構成としたことを特徴とする情報機器。
【請求項４】
情報機器の一部を覆う閉じ位置と、前記一部を露出させる開き位置との間で回転されて移動するように設けてある蓋部材と、
前記情報機器の二箇所に取り付けられたキャップとを有し、
前記蓋部材は、
蓋本体と、
前記蓋本体の両端近傍に設けてあり、回動中心貫通孔が形成してあるフランジとよりなり、
前記蓋本体は、前記フランジの位置より更に外側に迫り出している迫り出し部を有し、
前記情報機器は、二箇所に前記フランジを支持するフランジ支持部を有し、
前記キャップは、前記フランジを覆い、
前記迫り出し部は、前記キャップの縁を覆う構成としたことを特徴とする情報機器。
【請求項５】
前記蓋本体は、前記フランジに対する向きが、回動の中心から閉じるときの回動の方向上先頭までの距離が、回動の中心から開くときの回動の方向上先頭までの距離と異なるように定めてある構成としたことを特徴とする請求項１乃至４のうちいずれか一項に記載の情報機器。
【請求項６】
前記蓋部材のフランジは、周囲の部分に突起部を有し、
前記フランジ支持部は、凹部を有し、
前記閉じ位置と開き位置とにおいて、前記突起部が前記凹部と係合する構成としたことを特徴とする請求項１乃至４のうちいずれか一項に記載の情報機器。
【請求項７】
請求項１乃至６のうちいずれか一項に記載の情報機器の前面を覆うことを特徴とするフロントカバー組立体。
【請求項８】
請求項１乃至６のうちいずれか一項に記載の情報機器を立て置きで支持するための台座であって、
一対の半体台座が分離可能に組み合わされた構成であり、
一の半体台座は、前記情報機器を支持可能であり、情報機器を支持した場合に、開いた状態の蓋本体が前記情報機器の側面側に突き出ている分の寸法、情報機器の側面側に突き出ている部分を有する構成としたことを特徴とする台座。
【発明の詳細な説明】
【０００１】
【発明の属する技術分野】
【０００２】
本発明は情報機器に関する。
【０００３】
テーブルの上に置かれて使用されるパーソナルコンピュータ等の情報機器においては、使い易い構成であること及び良好なデザインであることが要求されている。
【従来の技術】
【０００４】
図１Ａ，図１Ｂは従来の情報機器１０を示す。情報機器１０は、各種の端子１１を前面に装備して使い易い構成としてあるとともに、使用していないときには端子１１を蓋部材１２，１３で覆うようにして外観を考慮した構成である。情報機器１０は、ハウジング１５とこの前側のフロントカバー組立体１６とを有する構成であり、台座１７上にセットされて、テーブル上に縦置きされて使用される。フロントカバー組立体１６は、フロントカバー１８と、フロントカバー１８の左右側に開閉可能に取り付けてある蓋部材１２，１３とよりなる構成である。フロントカバー１８及び蓋部材１２，１３は共に、合成樹脂の成形部品である。
【０００５】
情報機器１０を使用していないときには、図１Ａに示すように、蓋部材１２，１３が閉じられており、端子１１は隠されている。情報機器１０を使用する場合には、図１Ｂに示すように、蓋部材１２，１３が回動されて開かれ、端子１１が露出される。端子１１へプラグを接続する作業は、情報機器１０の前側から行われ、情報機器１０は使い易い。なお、蓋部材１２，１３を開く操作は、使用者が手の指先で蓋部材１２，１３を引っ掛けて引くことによって行われる。
【０００６】
蓋部材１２は、図２に示すように、蓋本体１２ａと、蓋本体１２ａの両端近傍より突き出ている腕部１２ｂ、１２ｃと、蓋本体１２ａの中央部より突き出ている係止凸部１２ｄとよりなる構造である。腕部１２ｂ、１２ｃは、先端にＣ形状の軸受け部１２ｂ１、１２ｃ２が形成してある。
【０００７】
蓋部材１２の上記の形状に対応して、フロントカバー１８は、前面１８ａに、腕部１２ｂが入る開口１８ｂ、腕部１２ｃが入る開口１８ｃ、係止凸部１２ｄが入る開口１８ｄを有し、且つ開口１８ｂ、１８ｃの奥に軸部１８ｅ、１８ｆを有し、開口１８ｄの内周面に凹部１８ｄ１が形成してある構成である。
【０００８】
蓋部材１２は、図１Ｂに示すように、腕部１２ｂ、１２ｃが夫々開口１８ｂ、１８ｄ内に入って、且つ、Ｃ形状の軸受け部１２ｂ１、１２ｃ２が夫々軸部１８ｅ、１８ｆに嵌合してあり、軸部１８ｅ、１８ｆを中心に回動可能に取り付けてある。開口１８ｂ、１８ｄの大きさは、蓋部材１２が開閉されるときに腕部１２ｂ、１２ｃが動く範囲に対応する大きさである。蓋部材１２は、開いている状態では、係止凸部１２ｄが凹部１８ｄ１に弾性的に嵌合してクリック的にロックされる。
【０００９】
別の蓋部材１３の形状及びこの蓋部材１３とフロントカバー１８と関係は、上記の蓋部材１２と同じである。
【発明が解決しようとする課題】
【００１０】
図１Ａに示すように蓋部材１２，１３が閉じられている状態では問題はないけれども、図１Ｂに示すように蓋部材１２，１３が回動されて開かれた状態では、蓋部材１２の取り付けのための開口１８ｂ、１８ｄが複数見えることになり、更には、腕部１２ｂ、１２ｃ及び係止凸部１２ｄ見えることになり、デザイン的によくなかった。
【００１１】
また、工場でフロントカバー組立体１６を組み立てるときに、蓋部材１２，１３のフロントカバー１８への取り付けは、図３に示すように、Ｃ形状の軸受け部１２ｂ１（１２ｃ２）を矢印Ａで示すように軸部１８ｅ（１８ｆ）に強く押し込み、Ｃ形状の軸受け部１２ｂ１（１２ｃ２）を弾性的に一旦広げて、軸部１８ｅ（１８ｆ）に嵌合させる。取り付けた蓋部材１２，１３が容易には外れないようにするために、Ｃ形状の軸受け部１２ｂ１、１２ｃ２は厚くして強く形成してあり、よって、工場での蓋部材１２，１３をフロントカバー１８へ取り付ける作業がしにくかった。軸受け部１２ｂ１（１２ｃ２）を押し込んで軸部１８ｅ（１８ｆ）に嵌合させる作業は、蓋本体１２ａを手に持って行うため、腕部１２ｂ、１２ｃの蓋本体１２ａへの付け根に力が加わって、腕部１２ｂ、１２ｃが折れる危険もあった。
【００１２】
また、係止凸部１２ｄは蓋本体１２ａの長手方向上中央部に設けてあり、蓋本体１２ａが撓むと、係止凸部１２ｄの位置は蓋本体１２ａの撓みの影響を受けてずれる。よって、蓋部材１２がクリック的にロックされるときの蓋部材１２の回動位置がばらつき易かった。
【００１３】
本発明は、上述した従来技術の問題を解決する情報機器を提供することを総括的な目的とする。
【課題を解決するための手段】
【００１４】
本発明のより詳細な目的は、フロントカバーが前面と側面との間のコーナ部が角ばって左右側に張り出している形状であっても、回動する蓋部材がコーナ部に当たらないで移動することが可能であるフロントカバー組立体を提供することを目的とする。
【００１５】
この目的を達成するため、本発明は、情報機器のフロントカバーに開閉可能に取り付けてある蓋部材を、その蓋本体のフランジに対する向きが、回動の中心から閉じるときの回動の方向上先頭までの距離が、回動の中心から開くときの回動の方向上先頭までの距離と異なるように定めた構成としてある。
【００１６】
蓋本体のフランジに対する向きを接線方向からずれた角度に定めたことによって、蓋部材を閉じるとき、蓋本体のうちその回動の方向上の先頭側の部分は、回動の中心から遠い位置を移動し、角ばった形状のコーナ部の外側を移動する。
【００１７】
本発明のより詳細な目的は、蓋部材を閉じ位置及び開き位置に精度よくクリックロックさせることが可能であるフロントカバー組立体を提供することを目的とする。
【００１８】
この目的を達成するため、本発明は、蓋部材のクリックロックのための突起部を、情報機器のフロントカバーに開閉可能に取り付けてある蓋部材のフランジの周囲の部分に形成した構成とし、この突起部がフロントカバーの凹部と係合する構成としてある。
【００１９】
この構成によって、蓋本体が撓んでも突起部の位置がずれることがなく、蓋本体の撓みの影響が突起部に現われない。よって、クリックロックが蓋部材が閉じた位置及び開いた位置で精度よくなされる。
【００２０】
本発明のより詳細な目的は、蓋部材が開いた状態及び蓋部材が閉じた状態におけるデザインをスマートにすることが可能であるフロントカバー組立体を提供することを目的とする。
【００２１】
この目的を達成するため、本発明は、情報機器のフロントカバーに開閉可能に取り付けてある蓋部材のフランジの形状をフロントカバーの形状に対応した形状とした構成としてある。
【００２２】
蓋部材が開いた状態では、フランジがフロントカバーとキャップとの間の隙間を塞いで、上記の隙間が目立たなくなり、フロントカバー組立体を前面から見たときのデザインがスマートとなる。同じく、蓋部材が閉じた状態では、フランジがフロントカバーとキャップとの間の隙間を塞いで、上記の隙間が目立たなくなり、フロントカバー組立体を横から見たときのデザインがスマートとなる。
【００２３】
本発明の他の目的、特徴、及び利点は、添付の図面を参照して以下の詳細な説明を読むことにより、一層明瞭となるであろう。
【発明の実施の形態】
【００２４】
図４Ａ、図４Ｂは本発明の一実施例になる情報機器３０を示す。図４Ａ、図７Ａは、蓋部材７０、７１が閉じている状態、図４Ｂ、図５、図７Ｂは、蓋部材７０、７１を開いた状態を示す。
【００２５】
先ず、情報機器３０について概略的に説明する。情報機器３０は、箱形状のハウジング３１とこの前側のフロントカバー組立体３２とを有する構成であり、台座３３上にセットされて、テーブル上に縦置きされて使用される。情報機器３０は、前面３４の左右方向の中央に、垂直の姿勢のＣＤ−ＲＯＭスロットインドライブ３５及び電源スイッチ３６を有し、前面３４の左側（Ｘ２方向側）寄りの位置に、垂直の姿勢のフロッピィディスクドライブ３７を有し、前面３４の右側（Ｘ１方向側）寄りの位置に、上から順に、ＰＣカードスロット３８、マイク端子３９、ヘッドフォン端子４０、ＵＳＢ端子４１を有する。情報機器３０を使用していないときには、図４Ａ及び図７Ａに示すように、蓋部材７０、７１が閉じられており、蓋部材７０が、ＰＣカードスロット３８、マイク端子３９、ヘッドフォン端子４０、ＵＳＢ端子４１を覆い隠し、蓋部材７１が、フロッピィディスクドライブ３７を覆い隠しており、スマートな外観となっている。情報機器３０を使用する場合には、図４Ｂ、図５、図７Ｂに示すように、蓋部材７０，７１を手動で回動させて開く。これによって、フロッピィディスクドライブ３７、ＰＣカードスロット３８、マイク端子３９、ヘッドフォン端子４０、ＵＳＢ端子４１が露出される。マイク端子３９、ヘッドフォン端子４０、ＵＳＢ端子４１へプラグを接続する作業は、情報機器３０の前側から行なうことが出来、情報機器３０は使い易い構成となっている。
【００２６】
次に，フロントカバー組立体３２について説明する。フロントカバー組立体３２は、図５及び図６に示すように、フロントカバー５０と、フロントカバー５０の左右側に開閉可能に取り付けてある蓋部材７０、７１と、フロントカバー５０の上面に取り付けてある上側キャップ部材８０と、フロントカバー５０の下面に取り付けてある下側キャップ部材８１とよりなる構成である。フロントカバー５０、蓋部材７０、７１、上側キャップ部材８０及び下側キャップ部材８１は、共に、合成樹脂の成形部品である。
【００２７】
図８Ａ、図８Ｂ、図８Ｃに示すように、フロントカバー５０は、略長方形状の本体部５１に加えて、本体部５１の周囲を囲む、左側壁部５２、右側壁部５３、上側壁部５４及び下側壁部５５を有する。フロントカバー５０は、裏側から見て浅い箱形状をなし、高い強度を有する。
【００２８】
本体部５１には、ＣＤ−ＲＯＭスロットインドライブ用開口５６、電源スイッチ用開口５７、フロッピィディスクドライブ用開口５８、ＰＣカードスロット用開口５９、マイク端子用開口６０、ヘッドフォン端子用開口６１、ＵＳＢ端子用開口６２を有する。
【００２９】
図９Ａ、図９Ｂ、図９Ｃに併せて拡大して示すように、本体部５１は、Ｘ１側に、閉じた蓋部材７０によって覆われる蓋覆い面６３を有し、Ｘ２側に、閉じた蓋部材７１によって覆われる蓋覆い面６４を有する。フロントカバー５０のＸ１側は、蓋覆い面６３−円弧面６５−右側壁部５３と続いている形状を有する。フロントカバー５０のＸ２側は、蓋覆い面６４−円弧面６６−左側壁部５２と続いている形状を有する。円弧面６５は、点Ｏ１を中心とする円筒の周面の一部である。点Ｏ１は、後述する軸部５４ａ１より円弧面６５側に寄った位置であり、軸部５４ａ１と円弧面６５との略中間の位置である。同じく、円弧面６６は、後述する軸部５４ｂ１より円弧面６６側に寄った位置の点Ｏ２を中心とする円筒の一部である。円弧面６５及び円弧面６６は、フロントカバー５０の左右側のコーナ部を構成する。フロントカバー５０のＸ１方向側のコーナ部は、軸部５４ａ１からの円弧面６５までの距離が、軸部５４ａ１から蓋覆い面６３までの距離及び軸部５４ａ１から右側壁部５３までの距離より長い関係にある。Ｘ２方向側のコーナ部も同じである。即ち、フロントカバー５０のコーナ部は、角ばって左右側に突き出した状態にあり、フロントカバー５０自体のデザインがよい。
【００３０】
右側壁部５３は、略平面であり、ハウジング３１との関係では、図４Ａ，図４Ｂに示すように、ハウジング３１の側面３１ａの延長した位置に存在しており、蓋部材７０との関係では、開いた状態の蓋部材７０によって覆われるようになっている。
【００３１】
左側壁部５２は、略平面であり、ハウジング３１との関係では、図４Ａ，図４Ｂに示すように、ハウジング３１の側面３１ｂの延長した位置に存在しており、蓋部材７１との関係では、開いた状態の蓋部材７１によって覆われるようになっている。
【００３２】
上側壁部５４は、左右側にフランジ支持部５４ａ，５４ｂを有し、フランジ支持部５４ａ，５４ｂの間に凸状の段部５４ｃを有する。段部５４ｃは、後述するフランジ７３の厚さｔ１と同じ高さｈ１を有する。フランジ支持部５４ａ，５４ｂには、軸部５４ａ１，５４ｂ１が形成してある。軸部５４ａ１，５４ｂ１の高さｈ２は、フランジ７３の厚さｔ１より少し大きい。段部５４ｃのうちフランジ支持部５４ａに臨む部分には、クリックロック用の凹部５４ｃ１，５４ｃ２が形成してあり、段部５４ｃのうちフランジ支持部５４ｂに臨む部分には、クリックロック用の凹部５４ｃ３，５４ｃ４が形成してある。
【００３３】
図９Ｃに示すように、下側壁部５５は、上記の上側壁部５４と同じ構成であり、フランジ支持部５５ａ，５５ｂ、軸部５５ａ１，５５ｂ１、段部５５ｃ、クリックロック用の凹部５５ｃ１，５５ｃ２、５５ｃ３，５５ｃ４を有する。
【００３４】
図１０、図１１Ａ、図１１Ａ、図１１Ｃ、図１２Ａ、図１２Ａ、図１２Ｃは蓋部材７０を示す。蓋部材７０は、細長い板状の蓋本体７２と、この蓋本体７２の両側の近傍のフランジ７３、７４とよりなり、略コ字形状を有している。
【００３５】
蓋本体７２は、直線状の辺７２ａと略円弧状の辺７２ｂとを有し、中央部の幅がｗ１であり、最大であり、両端部の幅ｗ２より広い。蓋本体７２は、フランジ７３、７４の位置から更に外側に迫り出している迫り出し部７２ｃ，７２ｄを有する。迫り出し部７２ｃ，７２ｄは、夫々上側キャップ部材８０及び下側キャップ部材８１の厚さｔ２に対応する寸法ａである。
【００３６】
図１２Ａ中、Ｏは、フランジ７３の回動中心孔７３ａの中心、Ｐは、蓋本体７２の端部の幅の中央の位置である。７５は、Ｏを中心とし、線分ＯＰを半径７６とする円である。７７は、点Ｐにおける円７５に対する接線である。
【００３７】
フランジ７３は、円７５が変形した形状を有し、中央に、貫通孔である回動中心孔７３ａを有し、周囲の部分に、輪郭部７３ｂ、輪郭部７３ｃ、及び周囲の方向に延びておりバネ性を有する腕部７３ｄ、及びこの腕部７３ｄの先端の突起部７３ｅを有する。
【００３８】
輪郭部７３ｂは、図１２Ａ中、蓋本体７２より時計方向にシフトした位置に存在している。輪郭部７３ｃは、図１２Ａ中、蓋本体７２より反時計方向にシフトした位置に存在している。輪郭部７３ｂは、回動中心孔７３ａが軸部５４ａ１に嵌合し、蓋部材７０が図４Ｂに示すように開いた状態で、フロントカバー５０の前面５１に対向し、且つ蓋覆い面６３の輪郭に対応した形状を有する。蓋部材７０を開いた状態で露出する、本体部５１と上側キャップ部材８０との間の隙間９０を埋めるためである（図１９参照）。
【００３９】
輪郭部７３ｃは、蓋部材７０が図４Ａに示すように閉じた状態で、フロントカバー５０の右側壁部５３に対向し、且つ右側壁部５３の輪郭に対応した形状を有する。蓋部材７０を閉じた状態で露出する、右側壁部５３と上側キャップ部材８０との間の隙間９０を埋めるためである（図１７参照）。
【００４０】
突起部７３ｅは、フランジ７３の一部に形成してあり、後述するフランジ連結部分７８に対する位置は、蓋本体７２が撓んでも影響を受けない。また、突起部７３ｅは、フランジ７３の外周側に位置しており、回動中心孔７３ａからの距離Ｌ３は長い。よって、クリックロック動作は、蓋部材７０が閉じる状態にまで回動されたタイミング及び蓋部材７０が開いた状態にまで回動されたタイミングで精度良くなされる。
【００４１】
また、先端に突起部７３ｅを有する腕部７３ｄは、フランジ７３の周囲の方向に延びており、長さ、形状等を比較的自由に設計可能であり、最適に形成してある。よって、腕部７３ｄは、最適のバネ性を有している。
【００４２】
また、上記より分かるように、蓋部材７０は、フランジ７３に、蓋部材７０を回動可能に支持する機能と、蓋部材７０を開いた位置及び閉じた位置にクリックロックする機能が集中してある構成である。
【００４３】
図１２Ｃに示すように、フランジ７４も、フランジ７３と同じく、回動中心孔７４ａ、輪郭部７４ｂ、輪郭部７４ｃ、腕部７４ｄ、及び突起部７４ｅを有する。
【００４４】
再度、図１２Ａを参照するに、蓋本体７２は、上記の接線７７に対して反時計方向に角度α傾斜した向きにある。即ち、蓋本体７２は、線分ＯＰの位置より時計方向にずれるにつれて、中心Ｏからの距離が遠くなっている。換言すれば、蓋本体７２は、閉じるときに先頭となる側、即ち、辺７２ｂの側の中心Ｏからの距離が遠くなっている。蓋本体７２の向きを接線７７に対して斜めの向きとしているのは、蓋部材７０を開閉するときに、蓋本体７２が角張って突き出ている円弧面６５の外側を移動して、円弧面６５と接触しないようにするためである。
【００４５】
なお、フロントカバーの形状によっては、蓋本体７２のフランジ７３に対する向きを上記とは逆の向き、即ち、中心Ｏから辺７２ｂまでの距離が中心Ｏから辺７２ａまでの距離より短いような向きとなることもある。
【００４６】
図１２Ｂ中、破線で囲んだ長方形Ａ×Ｂの部分が、フランジ７３が蓋本体７２と連結しているフランジ連結部分７８である。フランジ連結部分７８の面積Ｓが、フランジ７３の蓋本体７２に対する連結の強度を決定する。ここで、フランジ７３は蓋本体７２の略全幅に亘って連結してあり、寸法Ａは、上記の幅ｗ２と略同じであり、長い。よって、フランジ連結部分７８の面積Ｓは広く、フランジ７３の蓋本体７２に対する機械的連結強度は高い。
【００４７】
また、寸法Ａが長いため、フランジ７３の蓋本体７２に対する十分な機械的連結強度を維持して、寸法Ｂが小さくしてある。寸法Ｂが小さいため、フランジ７３は厚さｔ１が薄い。フランジ７３の厚さｔ１が薄いため、上側キャップ部材８０とフランジ支持部５４ａとの間の隙間９０が狭くなっている。
【００４８】
別の蓋部材７１は、上記の蓋部材７０を上下逆向きにしたものである。よって、その説明は省略する。蓋部材７０及び蓋部材７１は共通の部品である。
【００４９】
図６に示すように、上側キャップ部材８０は、フロントカバー５０の本体部５１、左側壁部５２、右側壁部５３に対応した輪郭部８０ａを有し、下面に、一対の筒状の軸受け部８０ｂ，８０ｃ、及び一対の取り付け用の爪部８０ｄ，８０ｅを有する。上側キャップ部材８０が、爪部８０ｄ，８０ｅをフロントカバー５０の上面の孔５４ｄに係合させて取り付けられた状態で、上側キャップ部材８０とフランジ支持部５４ａ，５４ｂとの間に、フランジ７３の厚さｔ１に対応する隙間９０が形成される（図１７参照）。この隙間９０は、蓋部材７０が回動するときにフランジ７３の蓋本体７２への付け根の部分であるフランジ連結部分７８が移動する範囲に形成してある。即ち、隙間９０は、蓋部材７０の回転の逃げのために形成してある。
【００５０】
図６に示すように、下側キャップ部材８１は、上側キャップ部材８０と同じく、輪郭部８１ａ、一対の筒状の軸受け部８１ｂ，８１ｃ、及び一対の爪部８１ｄ，８１ｅを有する。
【００５１】
次に、フロントカバー組立体３２の組立てについて説明する。
【００５２】
図６に示すように、フロントカバー組立体３２は、フロントカバー５０に対して、蓋部材７０、７１を取り付け、その後に、上側キャップ部材８０と下側キャップ部材８１とを取り付けて完成する。
【００５３】
蓋部材７０は、矢印Ｂで示すように、フランジ７３の回動中心孔７３ａが軸部５４ａ１に回動可能に嵌合し、フランジ７３がフランジ支持部５４ａに支持され、反対側のフランジ７４の回動中心孔７４ａが軸部５５ａ１に回動可能に嵌合し、フランジ７４がフランジ支持部５５ａに支持され、蓋本体７２がフロントカバー５０に沿う状態に取り付けられる。なお、軸部５４ａ１は回動中心孔７３ａを貫通してフランジ７３の上面に突き出した状態となり、軸部５５ａ１は回動中心孔７４ａを貫通してフランジ７４の下面に突き出した状態となる。
【００５４】
蓋部材７０の取り付けは、蓋本体７２を図６中二点鎖線で示すように反らせて、フランジ７３及びフランジ７４を外側に向かせ、回動中心孔７３ａと回動中心孔７４ａとの間の距離を離すことによって行われる。即ち、蓋部材７０の取り付けは、フランジ７３及びフランジ７４を蓋本体７２に対して無理に反らせることなく行われる。また、蓋部材７０は長いため、フランジ７３、７４が夫々軸部５４ａ１、５５ａ１を乗り越えるようなるまで反らせる量は小さくて足り、蓋部材７０の取り付けは、蓋部材７０に無理に変形させることなく行われる。別の蓋部材７１も、上記の蓋部材７０と同様にして取り付けられる。
【００５５】
上側キャップ部材８０は、矢印Ｃで示すように押し付けることによって、爪部８０ｄ，８０ｅをフロントカバー５０の上面の孔５４ｄに係合させて、図１６及び図１７に示すように取り付けられ、フランジ７３を覆う状態となる。また、図１４Ｂ，図１４Ｃに示すように、軸受け部８０ｂが軸部５４ａ１のうちフランジ７３の上面に突き出している部分に嵌合した状態となる。別の軸受け部８０ｃは軸部５４ｂ１のうちフランジの上面に突き出している部分に嵌合した状態となる。
【００５６】
下側キャップ部材８１は、矢印Ｄで示すように押し付けることによって、爪部８１ｄ，８１ｅをフロントカバー５０の下面の孔５５ｄに係合させて取り付けられ、フランジ７４を覆う状態となる。軸受け部８１ｂ、８１ｃが夫々軸部５５ａ１、５５ｂ１のうちフランジの下面に突き出している部分に嵌合した状態となる。
【００５７】
上側キャップ部材８０及び下側キャップ部材８１は、フランジ７３、７４等を覆い隠して、フロントカバー組立体３２の外観のデザインをスマートとする。また、図１６及び図１７に示すように，軸受け部８０ｂ、８０ｃ、８１ｂ、８１ｃは、夫々軸部５４ａ１、５４ｂ１、５５ａ１、５５ｂ１の先端側を固定しており、軸部５４ａ１、５４ｂ１、５５ａ１、５５ｂ１は補強されている。
【００５８】
上記のフロントカバー組立体３２は、ハウジング３１と組み合わせられ、情報機器３０の外形を構成する。
【００５９】
次に、情報機器３０における蓋部材７０、７１の開閉操作及び動作について説明する。
【００６０】
蓋部材７０、７１を開く操作及び閉じる操作は、使用者が手の指先で蓋部材７０、７１の一部を引っ掛けて動かすことによって行われる。
【００６１】
蓋部材７０については、図１３、図１４Ａ、図１４Ｂ、図１４Ｃ拡大して示すように、図７Ａに示す状態から反時計方向に約９０度回動されて図７Ｂに示す状態とされて開かれ、逆に、図７Ｂに示す状態から、時計方向に約９０度回動されて図７Ａに示す状態とされて閉じられる。開かれた状態では、蓋本体７２は、フロントカバー５０の右側壁部５３に対向する状態となる。
【００６２】
ここで、蓋部材７０は、突起部７３ｅ，７４ｅが凸状の段部５４ｃ，５５ｃの縁の面をすべりつつ回動される。腕部７４ｄ、７５ｄが撓んでばね力を有していることによって、突起部７３ｅ，７４ｅが凸状の段部５４ｃ，５５ｃの縁の面を押しており、突起部７３ｅ，７４ｅが凸状の段部５４ｃ，５５ｃの縁の面をすべるときに、適当は抵抗力を発生する。よって、操作者は指先の心地良い感触を感じつつ蓋部材７０の開閉操作を行うことができ、情報機器３０は高級感を有する。
【００６３】
ここで、蓋部材７０の開閉に関する特徴について説明する。
【００６４】
フロントカバー組立体３２は、蓋部材７０の開閉に関連して以下の特徴を有する。
【００６５】
１．クリックロックの精度が良い。
【００６６】
蓋部材７０は、開かれた状態では、突起部７３ｅが凹部５４ｃ１に、突起部７４ｅが凹部５５ｃ１に係合して、クリック的にロックされる。蓋部材７０は、閉じられた状態では、突起部７３ｅが凹部５４ｃ２に、突起部７４ｅが凹部５５ｃ２に係合して、クリック的にロックされる。
【００６７】
突起部７３ｅ、７４ｅは夫々フランジ７３、７４の一部に形成してあり、フランジ連結部分に対する位置は、蓋本体７２が撓んでも影響を受けない。また、突起部７３ｅ、７４ｅは夫々フランジ７３、７４のうち外周側に位置しており、回動中心孔７３ａ、７４ａからの距離Ｌ３は長い。また、クリックロック用の凹部５４ｃ１，５４ｃ２、５５ｃ１，５５ｃ２は、フロントカバー５０の上側壁部５４及び下側壁部５５に形成してある。よって、クリックロック動作は、蓋部材７０が閉じる状態にまで回動されたタイミング及び蓋部材７０が開いた状態にまで回動されたタイミングで精度良くなされる。
【００６８】
また、クリックロック動作は、上下両方のフランジ７３、７４について行われるため、片方のフランジだけがクリックロックされるようにしたて構成に比べて、蓋部材７０は開かれた状態及び閉じられた状態に安定に保持される。
【００６９】
２．目障りのところがなく、デザインがスマートである。
【００７０】
蓋部材７０が閉じられた状態では、図４Ａ、図７Ａ、図１４Ａ、図１５、図１６、図１７に示すように、蓋本体７２がフロントカバー５０の本体部５１のうち右側の部分を覆っていると共に、迫り出し部７２ａ，７２ｂが上側キャップ部材８０及び下側キャップ部材８１のうち右側の部分を覆っている。よって、上側キャップ部材８０及び下側キャップ部材８１も一部が隠され、前から見たときのデザインがスマートとなっている。
【００７１】
図１４Ａ、図１７及び図４Ａに示すように、露出しているフロントカバー５０の右側壁部５３についてみると、上側キャップ部材８０と右側壁部５３との間の隙間９０は、フランジ７３のうちの輪郭部７３ｃによって塞がれている。同じく、下側キャップ部材８１と右側壁部５３との間の隙間９１は、フランジ７４のうちの輪郭部７４ｃによって塞がれている。また、隙間９０，９１自体がせまい。よって、隙間９０，９１が目立たず、横からから見たときのデザインがスマートとなっている。
【００７２】
蓋部材７０が開かれた状態では、図４Ｂ、図５、図７Ｂ、図１４Ｃ、図１８、図１９、図２０に示すように、蓋本体７２がフロントカバー５０の右側壁部５３を覆っていると共に、迫り出し部７２ａ，７２ｂが上側キャップ部材８０及び下側キャップ部材８１を覆っている。よって、上側キャップ部材８０及び下側キャップ部材８１も隠され、横からから見たときのデザインがスマートとなっている。
【００７３】
図１４Ａ及び図１９に示すように、露出しているフロントカバー５０の本体部５１についてみると、上側キャップ部材８０と本体部５１との間の隙間９０は、フランジ７３のうちの輪郭部７３ｂによって塞がれている。同じく、下側キャップ部材８１と本体部５１との間の隙間９１は、フランジ７４のうちの輪郭部７４ｂによって塞がれている。また、隙間９０、９１自体がせまい。よって、隙間９０、９１が目立たず、前から見たときのデザインがスマートとなっている。
【００７４】
３．蓋本体７２は、フロントカバー５０の突き出した状態のコーナ部である円弧面６５と接触しない。
【００７５】
フロントカバー５０のコーナ部である円弧面６５は突き出している。
【００７６】
図１２Ａに示すように、蓋本体７２は、接線７７に対して反時計方向に角度α傾斜した向きにある。即ち、蓋本体７２は、線分ＯＰの位置より時計方向にずれるにつれて、中心Ｏからの距離が遠くなっている。換言すれば、蓋本体７２は、閉じるときに先頭となる側、即ち、辺７２ｂの側の中心Ｏからの距離Ｌ１が、開くときに先頭となる側、即ち、辺７２ａの側の中心Ｏからの距離Ｌ２に比べて長くなっている。
【００７７】
これによって、図１３、図１４Ｂに示すように、蓋部材７０を開閉するときに、蓋本体７２は、円弧面６５と接触せずに、円弧面６５の外側を移動する。
【００７８】
なお、他方の蓋部材７１も、上記の蓋部材７０と同じ特徴を有する。
【００７９】
また、フロントカバー組立体３２は一つの蓋部材７０を有する構成でもよい。  次に、台座３３について説明する。図２１に示すように、台座３３は、一対の半体台座３３ａ、３３ｂが組み合わされた構成である。一対の半体台座３３ａ、３３ｂは分離可能である。
【００８０】
情報機器３０を、テーブル上のうち縁の近くに、ハウジング３１の側面３１ａを壁等に接近させた状態で置く場合には、台座３３を分解して、一つの半体台座３３ａを、図２２に示すように使用する。半体台座３３ａのうち、部分３３ａ１、３３ａ２が、ハウジング３１の側面３１ａより、Ｘ１方向に寸法ｅ突き出している。この寸法ｅは、図１３に示す、開いた状態で蓋本体７２がフロントカバー５０の右側壁部５３よりＸ１方向に突き出している寸法ｆより少し大きい。
【００８１】
よって、情報機器３０を、ハウジング３１の側面３１ａと壁等との間を無用に大きく空けないで設置することが可能である。
【００８２】
なお、Ｘ２方向側には、半体台座３３ａが台座３３の場合と同じく突き出しており、情報機器３０がＸ２方向に倒れる危険はない。
【発明の効果】
【００８３】
本発明によれば、蓋部材が開いた状態では、フランジがフロントカバーとキャップとの間の隙間を塞いで、隙間が目立たなくなり、情報機器を前面から見たときのデザインがスマートとなる。同じく、蓋部材が閉じた状態では、フランジがフロントカバーとキャップとの間の隙間を塞いで、上記の隙間が目立たなくなり、フロントカバー組立体を横から見たときのデザインをスマートに出来る。
【図面の簡単な説明】
【図１】  図１Ａ，図１Ｂは従来の情報機器を示す図である。
【図２】  蓋部材を示す図である。
【図３】  蓋部材の取り付けを説明する図である。
【図４】  図４Ａ，図４Ｂは本発明の一実施例になる情報機器を示す図である。
【図５】  本発明の一実施例になるフロントカバー組立体の斜視図である。
【図６】  図５のフロントカバー組立体の分解斜視図である。
【図７】  図７Ａ，図７Ｂは蓋部材の開閉の状態を示す図である。
【図８】  図８Ａ、図８Ｂ、図８Ｃはフロントカバーを示す図である。
【図９】  図９Ａ、図９Ｂ、図９Ｃはフロントカバーを拡大して示す図である。
【図１０】  蓋部材の斜視図である。
【図１１】  図１１Ａ、図１１Ｂ、図１１Ｃは蓋部材を示す図である。
【図１２】  図１２Ａ、図１２Ｂ、図１２Ｃは蓋部材のフランジを拡大して示す図である。
【図１３】  蓋部材の開閉時の動きを示す図である。
【図１４】  図１４Ａ、図１４Ｂ、図１４Ｃは蓋部材の閉じた状態、開いた状態、及び途中の状態を示す図である。
【図１５】  蓋部材が閉じている状態を拡大して示す図である。
【図１６】  図１５中、ＸＶＩ−ＸＶＩ線に沿う断面図である。
【図１７】  図１５中、ＸＶＩＩ−ＸＶＩＩ線に沿う断面図である。
【図１８】  蓋部材が開いている状態を拡大して示す図である。
【図１９】  図１８中、ＸＩＸ−ＸＩＸ線に沿う断面図である。
【図２０】  図１８中、ＸＸ−ＸＸ線に沿う断面図である。
【図２１】  台座を示す図である。
【図２２】  情報機器が半体台座に支持されている状態を示す図である。
【符号の説明】
３０  情報機器
３１  ハウジング
３１ｂ  側面
３２  フロントカバー組立体
３３  台座
３３ａ、３３ｂ  半体台座
３３ａ１、３３ａ２  部分
３４  前面
３５  ＣＤ−ＲＯＭスロットインドライブ
３６  電源スイッチ
３７  フロッピィディスクドライブ
３８  ＰＣカードスロット
３９  マイク端子
４０  ヘッドフォン端子
４１  ＵＳＢ端子
５０  フロントカバー
５１  本体部
５２  左側壁部
５３  右側壁部
５４  上側壁部
５４ａ，５４ｂ  フランジ支持部
５４ａ１、５４ｂ１  軸部
５４ｃ１，５４ｃ２  凹部
５５  下側壁部
５５ａ，５５ｂ  フランジ支持部
５５ａ１，５５ｂ１  軸部
５５ｃ  段部
５５ｃ１，５５ｃ２、５５ｃ３，５５ｃ４  クリックロック用の凹部
５６  ＣＤ−ＲＯＭスロットインドライブ用開口
５７  電源スイッチ用開口
５８  フロッピィディスクドライブ用開口
５９  ＰＣカードスロット用開口
６０  マイク端子用開口
６１  ヘッドフォン端子用開口
６２  ＵＳＢ端子用開口
６３、６４  蓋覆い面
６５，６６  円弧面
７０，７１  蓋部材
７２  の蓋本体
７２ａ  直線状の辺
７２ｂ  略円弧状の辺
７２ｃ，７２ｄ  迫り出し部
７３、７４  フランジ
７３ａ、７４ａ  回動中心孔
７３ｂ、７３ｃ、７４ｂ、７４ｃ  輪郭部
７３ｄ、７４ｄ  腕部
７３ｅ、７４ｅ  突起部
７５  円
７６  半径
７７  接線
８０  上側キャップ部材
８０ａ  輪郭部
８０ｂ，８０ｃ  軸受け部
８０ｄ，８０ｅ  取り付け用の爪部
８１  下側キャップ部材
８１ａ  輪郭部
８１ｂ，８１ｃ  軸受け部
８１ｄ，８１ｅ  取り付け用の爪部
９０、９１  隙間
【図１Ａ】
0003819299.tif 000002
【図１Ｂ】
0003819299.tif 000003
【図２】
0003819299.tif 000004
【図３】
0003819299.tif 000005
【図４Ａ】
0003819299.tif 000006
【図４Ｂ】
0003819299.tif 000007
【図５】
0003819299.tif 000008
【図６】
0003819299.tif 000009
【図７Ａ】
0003819299.tif 000010
【図７Ｂ】
0003819299.tif 000011
【図８Ａ】
0003819299.tif 000012
【図８Ｂ】
0003819299.tif 000013
【図８Ｃ】
0003819299.tif 000014
【図９Ａ】
0003819299.tif 000015
【図９Ｂ】
0003819299.tif 000016
【図９Ｃ】
0003819299.tif 000017
【図１０】
0003819299.tif 000018
【図１１Ａ】
0003819299.tif 000019
【図１１Ｂ】
0003819299.tif 000020
【図１１Ｃ】
0003819299.tif 000021
【図１２Ａ】
0003819299.tif 000022
【図１２Ｂ】
0003819299.tif 000023
【図１２Ｃ】
0003819299.tif 000024
【図１３】
0003819299.tif 000025
【図１４Ａ】
0003819299.tif 000026
【図１４Ｂ】
0003819299.tif 000027
【図１４Ｃ】
0003819299.tif 000028
【図１５】
0003819299.tif 000029
【図１６】
0003819299.tif 000030
【図１７】
0003819299.tif 000031
【図１８】
0003819299.tif 000032
【図１９】
0003819299.tif 000033
【図２０】
0003819299.tif 000034
【図２１】
0003819299.tif 000035
【図２２】
0003819299.tif 000036